(57)【要約】      （修正有）【課題】ジョギング、ウォーキング、登山等の運動時、あるいは災害等の非常時等に水分等の飲食物を手軽に人体に補給できるようにするための飲食物補給用携帯バンドを提供する。【解決手段】その両端に簡易止め手段６を設けた帯体４と、この帯体４の一部に設けた水分、固形液体、食料品等の飲食物を収納するための飲口を有する補給用袋体２とを備えた飲食物補給用携帯バンドとし、この携帯バンドを腕に巻き付け、あるいは肩からたすき掛けして身体に装着する。水分等の補給時には、補給用袋体２の飲口から吸水したり、該補給用袋体２の補給口７から固形飲食物を取り出して飲食に供するようにする。【選択図】図１
0003112948.tif 000002
【実用新案登録請求の範囲】
【請求項１】
その両端に簡易止め手段を設けた帯体と、
この帯体の一部に設けた水分、固形液体、食料品等の飲食物を収納するための飲口を有する補給用袋体と、
を備えたことを特徴とする飲食物補給用携帯バンド。
【請求項２】
前記帯体には、伸縮性細帯部と間隙部とが交互に配置されていることを特徴とする請求項１に記載の飲食物補給用携帯バンド。
【請求項３】
前記袋体には、飲食物を補給するための補給口を設けたことを特徴とする前記請求項１又は請求項２に記載の飲食物補給用携帯バンド。
【考案の詳細な説明】
【技術分野】
【０００１】  本考案は、水分、固形液体、非常用食料品等の飲食物を、ジョギング、ウォーキング、登山あるいは非常時等に必要に応じて補給することができるようにした飲食物補給用携帯バンドに関するものである。
【背景技術】
【０００２】  従来、例えばジョギング、ウォーキング、登山等の運動の際に、水分等を補給するためには自ら水筒、ペットボトル、収納バック等を持参して必要に応じ、その都度取り出して水分等を補給していた。【０００３】  一方、運動時の水分補給の重要性に鑑み、水分自体にグリセリンの配合比を工夫して添加したもの（例えば、特開２００４−１２３６８６号）や運動中の水分補給効果を延ばすために炭水化物とナトリウムをグリセロールと組み合わせて、流動停滞時間を延ばすようにしたもの（特表平９−５０１３９９号）等がある。【０００４】
【特許文献１】    特開２００４−１２３６８６号
【特許文献２】    特表平９−５０１３９９号
【考案の開示】
【考案が解決しようとする課題】
【０００５】  上記特許文献１及び特許文献２に記載された発明は、いずれも水分等の補給物質に対する配合比や添加物等について工夫を施すものであり、運動愛好者が手軽に使用できるものではなかった。
他方、ジョギング、ウォーキング等の長時間の運動は、エネルギーを多量に発散し、体力等は短時間に消耗するものである。そのため、ある一定の時間と距離を考慮するば、水分等の補給は必要不可欠なものとなっている。【０００６】  特に、ジョギング等のように走っている最中に、水分等を補給することは困難なことである。例えば自動販売機等で缶、ペットボトル等に入った水分等を購入したとしても一旦走行を中断してその場で一気に飲み干すか、ペットボトル等を持って走りながら飲食する以外にない。これでは時間的にも体力的にもロスとなるものであり、また、走りながらの飲料水等の補給は、その補給後にペットボトル等を投棄する確立が高く、自然環境にも悪い影響を及ぼすことになる。
【課題を解決するための手段】
【０００７】  本考案は、上記の課題を解決するためになされたのもので、請求項１に記載の飲食物補給用携帯バンドは、
その両端に簡易止め手段を設けた帯体と、
この帯体の一部に設けた水分、固形液体、食料品等の飲食物を収納するための飲口を有する補給用袋体と、
を備えたことを特徴とするものである。【０００８】  請求項２に記載の飲食物補給用携帯バンドは、
前記帯体は、伸縮性細帯部と間隙部とが交互に配置されていることを特徴とするものである。【０００９】  請求項３に記載の飲食物補給用携帯バンドは、前記袋体に、飲食物を補給するための補給口を設けたことを特徴とするものである。
【考案の効果】
【００１０】  本考案は上記のように構成したので、概略次のような顕著な効果を奏する。
（１）両端に面ファスナー等の簡易止め手段を設けた帯体を腕に巻き、あるいは肩からたすき掛けにして身体に装着し、ジョギング等の運動を行うことができる。そして、水分等の飲食物の補給が必要となった場合には、帯体を身体から取り外し、あるいは伸縮性を有するのでバンドをある程度引き伸ばして、補給用袋体の飲口から水分等を摂取し、又は水密性の補給口を開いてその内部から食料品を取り出して走行しながら飲食を行うことができる。【００１１】（２）上記（１）により、従来の自動販売機、中継場所等による水分摂取のように走行や歩行の中断を余儀なくされることがなく、ロスタイムや集中力を欠くとゆうことが避けられ、一気呵成に運動目的を達成することができる。【００１２】（３）従来のように水分自体や食品自体の組成・配合に改善を加えるものと異なり、それらの収納ないしは携帯容器自体に工夫を加えるものであるため、比較的安価かつ容易に製造することができる。【００１３】（４）補給用袋体内には、非常用食料品等も収納することができるので、ジョギング等の運動時に限らず災害等の非常時にも利用することが可能である。
【考案を実施するための最良の形態】
【００１４】  腕、肩、胴体等の身体に簡単に装着できるように簡易止め手段を両端に設けた帯体と、この帯体の一部に、水分、固形液体、食料品等の飲食物を収納するため補給用袋体を設け、該補給用袋体には水分等の飲口と、前記食料品等を出し入れするための補給口とを有する飲食物補給用携帯バンドとする。
【実施例】
【００１５】  以下に、本考案の一実施例を図に基づき詳細に説明する。
図１は、本考案の飲食物補給用携帯バンドの全体を示す平面図であり、図２は、上記飲食物補給用携帯バンドの縦断面図である。【００１６】  これらの図において、１はプラスチック材料等の材料で形成した飲口としての飲料用口キャップ、２は水分等を補給するための補給用袋体である。この補給用袋体２の部分は収納容量に許容性を持たせるため、ある程度伸縮性を有する材料により形成してある。また、保温、保冷性に優れた材質によって製作することにより、なお一層好ましい保存状態が得られる。また、運動時の衝撃等により容易に破れないような材質のものが補給用袋体として好適である。【００１７】  ３は、汗止め用のバンドで伸縮自在となる材料により形成されている。４は、同じく伸縮性を有する帯体であり、人体の腕に巻き付けたり、肩からたすき掛けにした場合にずり落ちることなく身体に密着するように構成されている。また、帯体４自体に蛍光塗料を塗布したり、蛍光繊維を織り込んだりすることにより昼夜を問わず、走行者・歩行者等の存在を示す目印となり、安全性が確保できて好適である。【００１８】  上記帯体４は、格子状に形成され隙間４ｂと伸縮性細帯部４ａとが交互に形成されている。隙間４ｂは、運動中の発汗作用を促進させるため及び軽量化を図るために設けられている。なお、この実施例では隙間４ｂを有する構造としたが特にこの構造に限定するものではなく、該隙間４ｂを設けない構造のものであっても良い。【００１９】  ６は、帯体４の両端に設けた簡易止め手段であり、例えばマジックテープ（登録商標）等の面状テープを使用し、腕等に巻き付けた場合に、その腕の太さに応じ径を拡大して、あるいは径を縮小して固定できるような構成としてある。【００２０】  上記簡易止め手段６の一方の端部には止め紐５が挿通され、他方の端部には止め紐５を挿通するための透孔５ａが設けられており、この透孔５ａに止め紐５を挿通して結び合わせ、肩からたすき掛けした帯体４を身体に固定できるようにしたものである。
なお、上記の実施例では他方の簡易止め手段３側に透孔５ａを設けるように説明したが、勿論これに限定されるものではなく、その両端とも止め紐５としてその紐５，５同士結び合わせるようにしても良い。【００２１】  上記帯体４の略中央部に設けられた補給用袋体２には、特にその位置に限定されないが、例えばその長手方向の端部近傍に、補給用袋体２の内部の水分等の漏洩を防止する構造の、いわゆる水密性の補給口７が設けてある。この補給口７を介して水分、固形液体、食料品等の飲食物を補給するとともに、補給用袋体２の内部に収納した固形食品等は、前記補給口７から取り出すようにする。
なお、補給用袋体２の内部に貯蔵した水分は通常、飲料用口キャップ１を外し、飲口から摂取するようにする。【００２２】  上記実施例の説明では、専ら運動時の水分等補給のための携帯バンドとして説明したが、災害時の装備として利用し、緊急時の水分等の飲食物の補給用携帯バンドとして役立てることもできる。
【図面の簡単な説明】
【００２３】
【図１】本考案の飲食物補給用携帯バンドの全体を示す平面図である。
【図２】上記飲食物補給用携帯バンドの縦断面図である。
【図３】上記飲食物補給用携帯バンドを人体の腕に装着した状態の説明図である。
【図４】上記飲食物補給用携帯バンドを肩からたすき掛けした状態の説明図である。
【００２４】１    飲料用口キャップ
２    補給用袋体
３    汗止め用伸縮バンド
４    帯体
４ａ  伸縮性細帯部
４ｂ  隙間
５    固定用止め紐
５ａ  透孔
６    簡易止め手段
７    補給口
【図１】
0003112948.tif 000003
【図２】
0003112948.tif 000004
【図３】
0003112948.tif 000005
【図４】
0003112948.tif 000006